(57)【要約】【課題】横方向に貫通する筒体を配置し、この筒体にて光や水の流れを好む小魚のほかに、これらを好まない小魚や水生昆虫が生息できるようにした根固めブロックを提供する。【解決手段】周壁に複数の穴５を有し、軸方向に貫通する筒体６の外周に粗朶８を囲繞してなる筒体ユニット４を、貫通状態となるようにしてブロック内に埋設した。そして、筒体ユニットの筒体の外周に水溶紙９を巻き付け、この水溶紙の外側に粗朶８を囲繞し、この粗朶の部分の空間に寒天１１を流し込んだ。【選択図】図１
2007209207.tif 000002
【特許請求の範囲】
【請求項１】
周壁に複数の穴を有し、軸方向に貫通する筒体の外周に粗朶を囲繞してなる筒体ユニットを、貫通状態となるようにしてブロック内に埋設したことを特徴とする根固めブロック。
【請求項２】
筒体ユニットの筒体の外周に水溶紙を巻き付け、この水溶紙の外側に粗朶を囲繞し、この粗朶の部分の空間に寒天を流し込んだことを特徴とする請求項１記載の根固めブロック。
【発明の詳細な説明】
【技術分野】
【０００１】
本発明は、水辺や水中に設置して用いる根固めブロックで、詳しくはブロック内に、これの横方向に貫通する筒体を配置し、この筒体内に小魚が生息できるようにした根固めブロックに関するものである。
【背景技術】
【０００２】
この種の根固めブロックとしては、ブロック内に節部が貫通加工された竹材を１または複数箇所に横方向に貫通状態で配置されたものが知られている（例えば、特許文献１参照）。
【０００３】
【特許文献１】特開２００５−８８２２１号公報
【発明の開示】
【発明が解決しようとする課題】
【０００４】
上記従来のブロックにあっては、これの横方向に竹筒による貫通孔が設けられていることにより、この貫通孔は水中において小魚の住処となるが、この貫通孔は中空状態となっているのでこの貫通孔には光が入り、及び水の流れが生じてしまい折角小魚の住処となるべき貫通孔ありながら、光や水の流れを好まない小さな魚類、一般的には底生魚等の小魚が生息しにくかった。また、同様にこの貫通孔には稚子魚や水生昆虫も生息しにくい。
【０００５】
本発明は上記のことに鑑みなされたもので、ブロックの横方向に筒体を配置することにより形成する貫通孔を利用して、光や水の流れを好む小魚のほかに、これらを好まない小さな底生魚類や、稚子魚や水生昆虫が生息できるようにした根固めブロックを提供することを目的とするものである。
【課題を解決するための手段】
【０００６】
上記目的を達成するために、本発明に係る根固めブロックは、周壁に複数の穴を有し、軸方向に貫通する筒体の外周に粗朶を囲繞してなる筒体ユニットを、貫通状態となるようにしてブロック内に埋設した構成になっている。
【０００７】
そしてこの構成の根固めブロックにおいて、筒体ユニットの筒体の外周に水溶紙を巻き付け、この水溶紙の外側に粗朶を囲繞し、この粗朶の部分の空間に寒天を流し込んだ。
【発明の効果】
【０００８】
本発明に係る根固めブロックを水辺や水中に接地して、この根固めブロックに埋設した筒体ユニットが水中に浸漬されることにより、この筒体ユニットの貫通孔内及び貫通孔より筒体の周壁に設けた孔にて連通される粗朶の部分を小魚の住処とすることができる。
【０００９】
そしてこのような小魚の住処において、光や水の流れを好み、かつこれらに抵抗力のある小魚は筒体内に住み、光や水の流れを好まない底生小魚及び稚小魚、さらに水生昆虫は筒体に穴から粗朶間の微細な空間内に入り込んで住むことができる。
【００１０】
したがって本発明に係る根固めブロックでは、これに埋設配置した筒体ユニットにて光や水の流れを好む小魚のほかに、光や水の流れを好まない底生小魚の双方及び水生昆虫の住処を提供することができる。
【発明を実施するための最良の形態】
【００１１】
図１は本発明の実施の形態を示す根固めブロックを示すもので、この根固めブロック１は平面形状が四角形の基部２と、この基部２の上側に膨出された膨出部３とからなる形状に、普通コンクリートにて形成されている。なお、この形状は特に特徴を有するものではなく、根固めブロック１として任意の形状になり得るものである。
【００１２】
そしてこの根固めブロック１には、これの膨出部３を横方向に貫通して、これの両端部を外部に露出させた筒体ユニット４が複数本埋設されている。この筒体ユニット４は、図２に示すように周壁に複数の穴５が設けられると共に、軸方向に貫通した筒体６と、この筒体６の外側を囲繞して紐体７にて固定された粗朶８とからなっている。上記筒体６は、その一例として節抜き加工された竹筒を用いた。
【００１３】
しかして、根固めブロック１を水辺または水中に設置し、これの筒体ユニット４が水中にある状態では、この筒体ユニット４内に入った水は、筒体６の周壁に設けた穴５を通って外側の粗朶８の部分に入り、この粗朶８により構成されている微細空間内に充満される。
【００１４】
そして上記筒体ユニット４が水中にある場合には、水中の魚類はこれの筒体６内に入り、そのうちの光や水の流れを好まない底生の小魚は、筒体６の周壁に設けた穴５より粗朶８間で構成する微細空間内に入り込み、ここを住処とする。
【００１５】
上記筒体ユニット４は、根固めブロック１の成形時にこれを成形するモルタル内に埋設する。このとき、ブロックを成形するモルタルが粗朶８の部分に、及び穴５から筒体６内に入り込まないようにする。
【００１６】
次に、上記筒体ユニット４を埋設した根固めブロック１の成形作業を説明する。
【００１７】
まず筒体ユニット４を構成する筒体６の外周に、図３に示すように水溶紙９を巻き付けてから図２に示すように、これの外側に粗朶８を巻き付けて紐体７にて固定して筒体ユニット４を作る。
【００１８】
ついで図４に示すように、この筒体ユニット４を有底筒状の容器１０内に入れて、これの粗朶８の部分に上方から溶融した寒天１１を流し込む。これにより粗朶８により構成される微細空間に寒天１１が充填される。寒天１１が固化した後に、容器１０より筒体ユニット４を引き上げる。このとき筒体６の外周に水溶紙９が巻き付けられていることにより、筒体６の穴５は、この水溶紙９にて塞がれていて、溶融状態の寒天１１が上記穴５より筒体６内に流入するのが防止される。
【００１９】
図５は上記した根固めブロック１を成形するための鋼製の型枠１２を示すもので、これの内側で膨出部３を成形する部分に、上記筒体ユニット４をセットしてからモルタルを流し込む。このとき筒体ユニット４の両端を型枠１２の内面で塞いで、この中にモルタルが流入しないようにする。またこのとき、粗朶８にて構成される微細空間内に寒天１１が流し込まれて固化していることにより、粗朶８の部分にモルタルが入り込むことがなく、さらにこの部分を通ってモルタルが穴５より筒体６内に浸透することがない。また、筒体ユニット４は粗朶８の部分を介してブロック内に固定される。モルタルの凝固後、型枠１２より取り出すことにより図１に示した根固めブロック１が得られる。
【００２０】
上記した成形工程にて筒体ユニット４の筒体６に巻き付けた水溶紙９は、根固めブロック１が水中に設置して水没することにより、このときの水にて溶けて穴５は開口される。また粗朶８の部分に充填された寒天は、筒体ユニット４の両端及び穴５より粗朶８にて構成される微細空間内に入り込む小魚の餌となり、この粗朶８の部分は小魚にとっての給餌場となると共に、その後に形成される微細空間が小魚や水生昆虫の住処となる。
【００２１】
筒体６の周囲にある粗朶８は、ブロックを構成するコンクリート内に固定されるので、水中にあっても長い時間にわたってこれの形状を保持することができる。
【００２２】
上記筒体ユニット４を構成する筒体６は、上記した実施の形態では竹筒を用いた例を示したが、これは他の材料、例えば紙筒、陶管、塩化ビニールパイプを用いてもよい。また、粗朶８としては柳の木の細枝が用いられるが、その他一般的な樹木の木枝も用いられる。なお竹の小枝を用いてもよい。
【図面の簡単な説明】
【００２３】
【図１】本発明に係る根固めブロックの一例を示す斜視図である。
【図２】筒体ユニットを一部破断して示す斜視図である。
【図３】筒体に水溶紙を巻き付ける様子を示す斜視図である。
【図４】筒体ユニットの粗朶部分に寒天を流し込む様子を示す断面図である。
【図５】根固めブロックを成形する型枠に筒体ユニットをセットした状態を示す斜視図である。
【符号の説明】
【００２４】
１…根固めブロック、２…基部、３…膨出部、４…筒体ブロック、５…穴、６…筒体、７…紐体、８…粗朶、９…水溶紙、１０…容器、１１…寒天、１２…型枠。
【図１】
2007209207.tif 000003
【図２】
2007209207.tif 000004
【図３】
2007209207.tif 000005
【図４】
2007209207.tif 000006
【図５】
2007209207.tif 000007